(57)【要約】【課題】内扉を回転自在に支持するヒンジ部材に生じる結露水を確実に処理することのできる自動販売機を提供する。【解決手段】ヒンジ部材３１に、係合部３１ａから下部側内扉１５に向かって斜め下方に延びる傾斜部３１ｂを設けたので、下部側内扉１５の開閉等によってヒンジ部材３１に結露が生じた場合に、ヒンジ部材３１の表面を流れる結露水を下部側内扉１５側に導くことができ、下部側内扉１５側に流れる結露水をドレン受け１６に受容させることにより、ヒンジ部材３１に生じる結露水を確実に処理することが可能となる。【選択図】図２
2010079548.tif 000002
【特許請求の範囲】
【請求項１】
前面が開口された自動販売機本体と、自動販売機本体内に設けられ、販売する商品を収納する商品収納庫と、商品収納庫の前面開口を開閉自在に覆う内扉と、内扉の幅方向一端側を自動販売機本体に回転自在に支持する支持機構とを備えた自動販売機において、
前記支持機構を、内扉側に設けられ、自動販売機本体側に係合可能な係合部を有するヒンジ部材と、自動販売機本体側に設けられ、係合部と係合することによりヒンジ部材を係止する係止部とから構成し、
ヒンジ部材に、係合部から内扉側に向かって斜め下方に延びる傾斜部を設けた
ことを特徴とする自動販売機。
【発明の詳細な説明】
【技術分野】
【０００１】
本発明は、販売する商品が収納される商品収納庫の前面開口部を開閉自在に覆う内扉を備えた自動販売機に関するものである。
【背景技術】
【０００２】
従来、この種の自動販売機としては、前面が開口された自動販売機本体と、自動販売機本体内に設けられ、販売する商品を収納する商品収納庫と、商品収納庫の前面開口を開閉自在に覆う内扉と、内扉の幅方向一端側を自動販売機本体に回転自在に支持する支持機構とを備え、支持機構を、内扉側に設けられ、自動販売機本体側に係合可能な係合部を有するヒンジ部材と、自動販売機本体側に設けられ、係合部と係合することによりヒンジ部材を係止する係止部とから構成したものが知られている（例えば、特許文献１参照）。
【特許文献１】特開２００４−３０４３６号公報
【発明の開示】
【発明が解決しようとする課題】
【０００３】
前記自動販売機では、結露水を受容するためのドレン受けが商品収納庫の前部の下方に設けられており、内扉に結露が生じた場合には結露水は内扉の表面を流れてドレン受けに受容される。しかし、内扉の開閉等によってヒンジ部材に結露が生じた場合、結露水はドレン受けに受容されることなくそのまま下方に落下するため、結露水を排水として外部に排出することができない。
【０００４】
本発明の目的とするところは、内扉を回転自在に支持するヒンジ部材に生じる結露水を確実に処理することのできる自動販売機を提供することにある。
【課題を解決するための手段】
【０００５】
本発明は前記目的を達成するために、前面が開口された自動販売機本体と、自動販売機本体内に設けられ、販売する商品を収納する商品収納庫と、商品収納庫の前面開口を開閉自在に覆う内扉と、内扉の幅方向一端側を自動販売機本体に回転自在に支持する支持機構とを備えた自動販売機において、前記支持機構を、内扉側に設けられ、自動販売機本体側に係合可能な係合部を有するヒンジ部材と、自動販売機本体側に設けられ、係合部と係合することによりヒンジ部材を係止する係止部とから構成し、ヒンジ部材に、係合部から内扉側に向かって斜め下方に延びる傾斜部を設けている。
【０００６】
これにより、内扉の開閉等によってヒンジ部材の表面に結露が生じた場合、結露水が内扉側に案内される。
【発明の効果】
【０００７】
本発明によれば、内扉の開閉等によってヒンジ部材に結露が生じた場合に、ヒンジ部材の表面を流れる結露水を内扉側に導くことができるので、ヒンジ部材に生じた結露水を確実に処理することが可能となる。
【発明を実施するための最良の形態】
【０００８】
図１乃至図３は本発明の一実施形態を示すもので、図１は外扉を開放した状態の自動販売機の全体斜視図、図２は支持機構を示す自動販売機の要部斜視図、図３は支持機構を示す自動販売機の要部分解斜視図である。
【０００９】
この自動販売機は、前面側が開口された自動販売機本体１０と、自動販売機本体１０の前面開口を開閉する外扉２０とを備え、外扉２０の幅方向一端側が自動販売機本体１０の前面側の幅方向一端側に回転自在に支持されている。
【００１０】
自動販売機本体１０の内部には、上面側、底面側、背面側及び左右両側面側が断熱壁によって囲まれた商品収納庫１１が設けられ、商品収納庫１１は断熱性の仕切板１２によって幅方向に仕切られている。仕切板１２によって仕切られた商品収納庫１１内には、販売する商品が蛇行状の商品通路に収納される周知のサーペンタイン式の商品収納コラム１３が前後方向及び幅方向に複数設けられている。
【００１１】
商品収納庫１１の前面には、それぞれ断熱性を有し、商品収納庫１１の前面上部側を開閉するための上部側内扉１４と、商品収納庫１１の前面下部側を開閉するための下部側内扉１５とが設けられている。また、下部側内扉１５の下部には、商品収納庫１６側と外扉２０側とを連通する商品搬出口１５ａが左右方向に並ぶように複数設けられている。各商品搬出口１５ａには、上部に商品搬出口１５ａを開閉する搬出扉１５ｂが回転自在に支持されており、前方に案内される商品に押されることにより前方に回転して商品搬出口１５ａを開放し、商品を商品取出口２１に搬出するようになっている。また、商品収納庫１１の前部の下方には、商品収納庫１１内において生じる結露水を受容するドレン受け１６が設けられている。
【００１２】
上部側内扉１４は、外扉２０の背面側に取り付けられており、外扉２０を開閉することにより、上部側内扉１４によって商品収納庫１１の前面上部が開閉されるようになっている。
【００１３】
また、下部側内扉１５は、幅方向一端側が上下一対の支持機構３０によって自動販売機本体１０の幅方向一端側に回転自在に支持されている。
【００１４】
各支持機構３０は、下部側内扉１５側に設けられ、自動販売機本体１０側に係合可能な係合部３１ａを有するヒンジ部材３１と、自動販売機本体１０側に設けられ、係合部３１ａと係合することによりヒンジ部材３１を係止するための係止部としての係止孔３２とから構成されている。
【００１５】
ヒンジ部材３１は、下部側内扉１５の幅方向一端側から幅方向外側に延びる金属板であり、下側を上下方向に切り欠くことにより係合部３１ａが形成されている。また、ヒンジ部材３１は、係合部３１ａの基端側が下部側内扉１５側に向かって斜め下方に延びるように傾斜部３１ｂが設けられている。
【００１６】
係止孔３２は、自動販売機本体１０の前面側に位置する側壁の内面側に上下方向に延びるように設けられている。係止孔３２は、下部側の開口幅が上部側の開口幅に対して狭く形成され、下部側の縁部にヒンジ部材３１の係合部３１ａが係合するようになっている。尚、下部側内扉１５は、係止孔３２の下部側の開口幅とヒンジ部材３１の板厚との関係で開閉する範囲が決定されるようになっている。
【００１７】
以上のように構成された自動販売機において、自動販売機本体１０に下部側内扉１５を取り付ける場合には、下部側内扉１５の各ヒンジ部材３１をそれぞれ自動販売機本体１０の各係止孔３２の上部に挿入し、ヒンジ部材３１の係合部３１ａを係止孔３２の下部側の縁部に係合させる。また、自動販売機本体１０から下部側内扉１５を取り外す場合には、下部側内扉１５を上方に持ち上げてヒンジ部３１の係合部３１ａと係止孔３２の下部側の縁部との係合を解除し、ヒンジ部３１を係止孔３２から抜き出す。
【００１８】
また、自動販売機本体１０に下部側内扉１５が取り付けられた状態において、ヒンジ部材３１が結露する場合、ヒンジ部３１に付着する結露水は、傾斜部３１ｂに沿って流れ、下部側内扉１５の近傍を落下するか、下部側内扉１５を伝って落下してドレン受け１６に受容される。
【００１９】
また、ヒンジ部材３１は、係合部３１ａの基端側から下部側内扉１５側に向かって斜め下方に延びるように傾斜部３１ｂが設けられていることから、係合部３１ａの基端側が係止孔３２の下方に位置する部材に接触することはなく、下部側内扉１５の開閉の繰り返しによって係止孔３２の下方に位置する部材が傷付くことはない。
【００２０】
このように、本実施形態の自動販売機の内扉構造によれば、ヒンジ部材３１に、係合部３１ａから下部側内扉１５に向かって斜め下方に延びる傾斜部３１ｂを設けたので、下部側内扉１５の開閉等によってヒンジ部材３１に結露が生じた場合に、ヒンジ部材３１の表面を流れる結露水を下部側内扉１５側に導くことができ、下部側内扉１５側に流れる結露水をドレン受け１６に受容させることにより、ヒンジ部材３１に生じる結露水を確実に処理することが可能となる。
【図面の簡単な説明】
【００２１】
【図１】本発明の一実施形態を示す外扉を開放した状態の自動販売機の全体斜視図
【図２】支持機構を示す自動販売機の要部斜視図
【図３】支持機構を示す自動販売機の要部分解斜視図
【符号の説明】
【００２２】
１０…自動販売機本体、１１…商品収納庫、１５…下部側内扉、３０…支持機構、３１…ヒンジ部材、３１ａ…係合部、３１ｂ…傾斜部、３２…係止孔。
【図１】
2010079548.tif 000003
【図２】
2010079548.tif 000004
【図３】
2010079548.tif 000005